【手続補正書】
【提出日】平成16年8月11日(2004.8.11)
【手続補正１】
【補正対象書類名】明細書
【補正対象項目名】全文
【補正方法】変更
【補正の内容】
【書類名】明細書
【発明の名称】  内臓脂肪推定装置
【特許請求の範囲】
【請求項１】  少なくとも身長、体重、体脂肪率を入力する入力手段と、
前記入力する手段により入力された入力値に基づいて内臓脂肪面積を推定する推定手段と、
１日の目標摂取カロリーを決定する目標摂取カロリー決定手段と、
１日に運動により消費すべきカロリーを決定する消費カロリー決定手段と、
１日に摂取可能なカロリーを更新する摂取可能カロリー更新手段と、
１日に運動により消費すべきカロリーを更新する消費カロリー更新手段とを具備することを特徴とする内臓脂肪推定装置。
【請求項２】  前記消費カロリー決定手段は、内臓脂肪面積、体脂肪率および体重の目標値のうちのいずれか一つと前記目標値を達成するまでの期間に基づいて１日に運動により消費すべきカロリーを決定する請求項１に記載の内臓脂肪推定装置。
【請求項３】  少なくとも身長、体重及び体脂肪率を入力値として入力する入力手段と、
前記入力手段により入力された前記入力値に基づいて内臓脂肪面積を推定する推定手段と、
前記推定手段により推定された前記内臓脂肪面積から減らすべき内臓脂肪面積に基づいて１日に運動により消費すべきカロリーを求めて決定する消費カロリー決定手段と、
運動項目を選択決定する運動項目選択決定手段と、
運動時間を決定する運動時間決定手段と、
前記運動項目選択決定手段により選択決定した前記運動項目と前記運動時間決定手段により決定した前記運動時間とに基づいて消費カロリーを求め、前記消費カロリー決定手段により決定した前記１日に運動により消費すべきカロリーから、この求めた前記消費カロリーを差し引くことによって、前記１日に運動により消費すべきカロリーを更新する消費カロリー更新手段と、
１日の目標摂取カロリーを決定する目標摂取カロリー決定手段と、
食品名を選択決定する食品名選択決定手段と、
摂取量を決定する摂取量決定手段と、
前記食品名選択決定手段により選択決定した前記食品名と前記摂取量決定手段により決定した前記摂取量とに基づいて摂取カロリーを求め、前記目標摂取カロリー決定手段により決定した前記１日の目標摂取カロリーについて摂取可能なカロリーから、この求めた前記摂取カロリーを差し引くことによって、前記摂取可能なカロリーを更新する摂取可能カロリー更新手段と、
前記１日に運動により消費すべきカロリーと前記摂取可能なカロリーとを同時に表示する表示部とを備えることを特徴とする内臓脂肪推定装置。
【請求項４】  目標期間を決定する目標期間決定手段を更に備え、前記消費カロリー決定手段は、減らすべき内臓脂肪面積から体脂肪量を求め、この体脂肪量から運動により消費すべき総カロリーを求め、この消費すべき総カロリーと前記目標期間決定手段により決定した前記目標期間とから前記１日に運動により消費すべきカロリーを求めることを特徴とする請求項３に記載の内臓脂肪推定装置。
【請求項５】  前記目標摂取カロリー決定手段は、目標摂取カロリーの初期値を求める初期値算出手段と、この目標摂取カロリーの初期値を変更する変更手段とを備えることを特徴とする請求項３又は４に記載の内臓脂肪推定装置。
【請求項６】  前記目標摂取カロリーは、体重当たりエネルギー所要量から求めた理想摂取カロリーであることを特徴とする請求項５に記載の内臓脂肪推定装置。
【請求項７】  基礎代謝量を求める基礎代謝量算出手段を更に備えると共に、前記摂取可能カロリー更新手段で求めた１日前の前記摂取カロリーから前記消費カロリー更新手段で求めた１日前の前記消費カロリーと前記基礎代謝量算出手段で求めた基礎代謝量とを差し引いた合計カロリーを計算する合計カロリー演算手段を更に備え、前記表示部は、前記合計カロリー演算手段で計算した前記合計カロリーを更に表示することを特徴とする請求項３乃至６のいずれか一つに記載の内臓脂肪推定装置。
【請求項８】  前記表示部は、前記合計カロリーと共に運動又は摂取に関するアドバイスを更に表示することを特徴とする請求項７に記載の内臓脂肪推定装置。
【請求項９】  前記身長を入力する身長入力手段は、身長計である請求項１乃至８のいずれか一つに記載の内臓脂肪推定装置。
【請求項１０】  前記身長を入力する身長入力手段は、前記身長を手入力可能とするキー手段である請求項１乃至８のいずれか一つにに記載の内臓脂肪推定装置。
【請求項１１】  前記体重を入力する体重入力手段は、重量センサーである請求項１乃至１０のいずれか一つに記載の内臓脂肪推定装置。
【請求項１２】  前記体重を入力する体重入力手段は、被測定者の体重を手入力可能とするキー手段である請求項１乃至１０のいずれか一つに記載の内臓脂肪推定装置。
【請求項１３】  前記体脂肪率を入力する体脂肪率入力手段は、体脂肪計である請求項１乃至１２のいずれか一つに記載の内臓脂肪推定装置。
【請求項１４】  前記体脂肪率を入力する体脂肪率入力手段は、被測定者の体脂肪率を手入力可能とするキー手段である請求項１乃至１２のいずれか一つに記載の内臓脂肪推定装置。
【発明の詳細な説明】
【０００１】
【発明の属する技術分野】
本発明は、内臓脂肪を推定する内臓脂肪推定装置に関するものである。
【０００２】
【従来の技術】
肥満の原因である身体の体脂肪を測定する装置として、次のようなものが従来より知られている。特公平５−４９０５０公報に開示されているような、性別・身長・年齢を入力し、体重と身体の末端部間におけるインピーダンスとを測定することにより身体中の脂肪組織重量を推定する体脂肪重量計である。また、身体の腹部（へそ部位）の断層写真を撮り、その画像解析結果から皮下脂肪面積や内臓脂肪面積を求めるＭＲＩ装置やＸ線ＣＴ装置である。
【０００３】
一方、肥満解消のために、摂取カロリーと運動による消費カロリーを簡単に起算できるカロリー計算機が数多く考案されている。
【０００４】
【発明が解決しようとする課題】
ところで、肥満には皮下脂肪型と内臓脂肪型とがある。近年、特に、生活習慣病に起因する影響が大きいと言われる内臓脂肪量を知ることが重要視され、皮下脂肪型か内臓脂肪型かの肥満の判定が求められている。
【０００５】
しかし、上述した従来技術の装置では、次の問題点がある。体脂肪重量計においては、全身に対する体脂肪量や体脂肪率しか分からない。また、ＭＲＩ装置やＸ線ＣＴ装置においては、装置が高価である。被測定者の測定姿勢を抑臥とし、拘束するために専門の操作者が別に必要であり、被測定者自身で操作ができず、家庭用向けに不向きである。大型で取扱いが不便なものである。測定時間を要する。特に、Ｘ線ＣＴ装置における測定では、健康を害さない程度ではあるが微量の被爆を受けるために、被測定者は心理的に進んで測定を受けにくい。また、被爆量が増えるため何回も繰り返して行うことができない。
【０００６】
一方、カロリー計算機は、単にカロリー計算の機能のみであり、体脂肪計との連携がない。肥満を解消するためには、現在の内臓脂肪面積あるいは体脂肪率をチェックでき、肥満の場合には、目標内臓脂肪面積あるいは体脂肪率を設定でき、その目標を達成するための目標摂取カロリーと目標消費カロリーを設定できるカロリー管理と内臓脂肪計の連携機能が必要である。目標体脂肪率の設定と目標消費カロリーを設定できるものもあるが、更に目標摂取カロリーと目標内臓脂肪面積を考慮したものはない。
【０００７】
本発明の目的は、前述したような現状に鑑み、容易に内臓脂肪を求めることができ、肥満の場合に目標内臓脂肪を設定でき、それを達成するために摂取カロリーと消費カロリーを管理できる内臓脂肪推定装置を提供することである。
【０００８】
【課題を解決するための手段】
本発明の一つの観点によれば、少なくとも身長、体重、体脂肪率を入力する入力手段と、前記入力する手段により入力された入力値に基づいて内臓脂肪面積を推定する推定手段と、１日の目標摂取カロリーを決定する目標摂取カロリー決定手段と、１日に運動により消費すべきカロリーを決定する消費カロリー決定手段と、１日に摂取可能なカロリーを更新する摂取可能カロリー更新手段と、１日に運動により消費すべきカロリーを更新する消費カロリー更新手段とを具備することを特徴とする内臓脂肪推定装置が提供される。
【０００９】
本発明の一つの実施の形態によれば、前記消費カロリー決定手段は、内臓脂肪面積、体脂肪率および体重の目標値のうちのいずれか一つと前記目標値を達成するまでの期間に基づいて１日に運動により消費すべきカロリーを決定する。
【００１０】
本発明の別の観点によれば、少なくとも身長、体重及び体脂肪率を入力値として入力する入力手段と、前記入力手段により入力された前記入力値に基づいて内臓脂肪面積を推定する推定手段と、前記推定手段により推定された前記内臓脂肪面積から減らすべき内臓脂肪面積に基づいて１日に運動により消費すべきカロリーを求めて決定する消費カロリー決定手段と、運動項目を選択決定する運動項目選択決定手段と、運動時間を決定する運動時間決定手段と、前記運動項目選択決定手段により選択決定した前記運動項目と前記運動時間決定手段により決定した前記運動時間とに基づいて消費カロリーを求め、前記消費カロリー決定手段により決定した前記１日に運動により消費すべきカロリーから、この求めた前記消費カロリーを差し引くことによって、前記１日に運動により消費すべきカロリーを更新する消費カロリー更新手段と、１日の目標摂取カロリーを決定する目標摂取カロリー決定手段と、食品名を選択決定する食品名選択決定手段と、摂取量を決定する摂取量決定手段と、前記食品名選択決定手段により選択決定した前記食品名と前記摂取量決定手段により決定した前記摂取量とに基づいて摂取カロリーを求め、前記目標摂取カロリー決定手段により決定した前記１日の目標摂取カロリーについて摂取可能なカロリーから、この求めた前記摂取カロリーを差し引くことによって、前記摂取可能なカロリーを更新する摂取可能カロリー更新手段と、前記１日に運動により消費すべきカロリーと前記摂取可能なカロリーとを同時に表示する表示部とを備えることを特徴とする内臓脂肪推定装置が提供される。
【００１１】
本発明の一つの実施の形態によれば、目標期間を決定する目標期間決定手段を更に備え、前記消費カロリー決定手段は、減らすべき内臓脂肪面積から体脂肪量を求め、この体脂肪量から運動により消費すべき総カロリーを求め、この消費すべき総カロリーと前記目標期間決定手段により決定した前記目標期間とから前記１日に運動により消費すべきカロリーを求める。
【００１２】
本発明の一つの実施の形態によれば、前記目標摂取カロリー決定手段は、目標摂取カロリーの初期値を求める初期値算出手段と、この目標摂取カロリーの初期値を変更する変更手段とを備える。
【００１３】
本発明の一つの実施の形態によれば、前記目標摂取カロリーは、体重当たりエネルギー所要量から求めた理想摂取カロリーである。
【００１４】
本発明の一つの実施の形態によれば、基礎代謝量を求める基礎代謝量算出手段を更に備えると共に、前記摂取可能カロリー更新手段で求めた１日前の前記摂取カロリーから前記消費カロリー更新手段で求めた１日前の前記消費カロリーと前記基礎代謝量算出手段で求めた基礎代謝量とを差し引いた合計カロリーを計算する合計カロリー演算手段を更に備え、前記表示部は、前記合計カロリー演算手段で計算した前記合計カロリーを更に表示する。
【００１５】
本発明の一つの実施の形態によれば、前記表示部は、前記合計カロリーと共に運動又は摂取に関するアドバイスを更に表示する。
【００１６】
本発明の一つの実施の形態によれば、前記身長を入力する身長入力手段は、身長計である。
【００１７】
本発明の別の実施の形態によれば、前記身長を入力する身長入力手段は、前記身長を手入力可能とするキー手段である。
【００１８】
本発明の一つの実施の形態によれば、前記体重を入力する体重入力手段は、重量センサーである。
【００１９】
本発明の別の実施の形態によれば、前記体重を入力する体重入力手段は、被測定者の体重を手入力可能とするキー手段である。
【００２０】
本発明の一つの実施の形態によれば、前記体脂肪率を入力する体脂肪率入力手段は、体脂肪計である。
【００２１】
本発明の別の実施の形態によれば、前記体脂肪率を入力する体脂肪率入力手段は、被測定者の体脂肪率を手入力可能とするキー手段である。
【００２２】
【発明の実施の形態】
以下、本発明の実施の形態を添付図面に基づいて詳細に説明する。図１は、本発明の一実施例の内臓脂肪推定装置の外観を示す概略正面図であり、図２は、図１の内臓脂肪推定装置の電気回路構成を示すブロック図である。
【００２３】
この実施例の内臓脂肪推定装置４１は、生体に電流路を形成するための電流供給電極４２ａ、４２ｂと、生体に生じる電位差を検出するための電圧検出電極４３ａ、４３ｂと、数値を変更するための↑キー４５Ｕ、↓キー４５Ｄ、→キー４５Ｒおよび←キー４５Ｌと、数値を前の値に戻すための戻るキー４６と、次の項目に移るための決定キー４７と、測定状態にするための測定キー４８と、内臓脂肪面積の目標値等を設定するための設定キー４９と、測定結果および演算結果の日々の変化をグラフ表示するためのグラフキー５０と、摂取カロリーを計算するための条件の設定を行なう摂取キー５１と、消費カロリーを計算するための条件の設定を行なう消費キー５２と、今日摂取できるカロリーと運動により消費すべきカロリーを計算するためのコメントキー５３と、設定条件や計算結果等を表示するための表示部４４とを備える。
【００２４】
電流供給電極４２ａ、４２ｂは、内臓脂肪推定装置の上面にあり、電圧検出電極４３ａ、４３ｂは、側面に配設される。測定する時には、左親指を電流供給電極４２ａに、右親指を電流供給電極４２ｂに、左手の平を電圧検出電極４３ａに、右手の平を電圧検出電極４３ｂにそれぞれ接触するように保持する。
【００２５】
また、装置４１の内部には、電子回路基板６０が設けられている。この電子回路基板６０には、表示部４４と、電流供給電極４２ａ、４２ｂに高周波の微弱な定電流を印加するための高周波定電流回路６７と、電圧検出電極４３ａ、４３ｂとの間に生じる生体の電位差を検出するための電圧測定回路６８と、この電圧測定回路６８からのアナログ信号をデジタル信号に変換するためのＡ／Ｄ変換回路６９と、時計部６６と、設定条件や計算結果等を記憶するための記憶部６５と、計測条件や計測した生体インピーダンスデータに基づいて体脂肪率および内臓脂肪面積の演算や制御等の処理を行なうためのＣＰＵ６４とが実装されている。
【００２６】
次に、本実施における内臓脂肪の推定のための測定および動作の概要を示す。最初に電池を装着した時に、現在の年月日、時刻の設定が要求される。この設定処理により、時計部６６は初期化される。
【００２７】
図３は、メインプログラムのフローチャートである。まず、最初にステップＳ３１において、いずれかのキーが押下されたかを判断する。押下されない場合は、ステップＳ３１に戻る。押下された場合には、電源をオンさせる。
【００２８】
ステップＳ３２において、測定キー４８が押下されたかを判断する。押下された場合には、ステップＳ３３において測定処理を行いステップＳ３１に戻る。
【００２９】
ステップＳ３４においては、設定キー４９が押下されたかを判断する。押下された場合には、ステップＳ３５において設定処理を行いステップＳ３１に戻る。
【００３０】
ステップＳ３６においては、グラフキー５０が押下されたかを判断する。グラフキー５０が押下された場合には、ステップＳ３７においてグラフ処理を行いステップＳ３１に戻る。
【００３１】
ステップＳ３８においては、摂取キー５１が押下されたかを判断する。摂取キー５１が押下された場合には、ステップＳ３９において摂取処理を行ないステップＳ３１に戻る。
【００３２】
ステップＳ４０においては、消費キー５２が押下されたかを判断する。消費キー５２が押下された場合には、ステップＳ４１において消費処理を行いステップＳ３１に戻る。
【００３３】
ステップＳ４２においては、コメントキー５３が押下されたかを判断する。コメントキー５３が押下された場合には、ステップＳ４３においてコメント処理を行いステップＳ３１に戻る。
【００３４】
図４は、測定キー４８が押下された場合の測定処理の動作を示すフローチャートである。ステップＳ６１において、個人登録が済んでいるかが判断される。済んでいる場合には、ステップＳ８２に進む。
【００３５】
ステップＳ６２において、表示部４４に男女の表示を点滅する。ステップＳ６３において、↑キー４５Ｕまたは↓キー４５Ｄが押下されたかを判断する。押下されていない場合は、ステップＳ６５に進む。ステップＳ６４において、男か女かを選択する。ステップＳ６５では、決定キー４７が押下されたかを判断する。押下されていない場合は、ステップＳ６３に戻る。
【００３６】
ステップＳ６６において、身長Ｈを１６０ｃｍにして、表示部４４に点滅表示する。ステップＳ６７において、↑キー４５Ｕまたは↓キー４５Ｄが押下されたかを判断する。押下されていない場合は、ステップＳ６９に進む。ステップＳ６８において、↑キー４５Ｕが押下された場合には、Ｈを１だけ増やす。↓キー４５Ｄが押下された場合には、Ｈを１だけ減らす。ステップＳ６７にもどる。ステップＳ６９では、決定キー４７が押下されない場合には、ステップＳ６７にもどる。
【００３７】
ステップＳ７０〜Ｓ８１では、身長と同様の設定方法で、年齢Ａｇｅ、ウエストＷおよび体重Ｍを設定する。この後、ステップＳ９６に進む。
【００３８】
ステップＳ８２では、登録されている個人のデータの性別、身長Ｈ、年齢Ａｇｅ、ウエストＷを図１０（ａ）に示すように表示部４４に表示する。体重Ｍを点滅表示する。
【００３９】
ステップＳ８３において、決定キー４７が押下されたかを判断する。押下された場合には、ステップＳ９６に進む。
【００４０】
ステップＳ８４において、↑キー４５Ｕまたは↓キー４５Ｄが押下されたかを判断する。押下されていない場合は、ステップＳ８６に進む。ステップＳ８５においては、↑キー４５Ｕが押下された場合には、Ｍを１だけ増やす。↓キー４５Ｄが押下された場合には、Ｍを１だけ減らす。ステップＳ８４に戻る。
【００４１】
ステップＳ８６では、決定キー４７が押下された場合には、ステップＳ９６に進む。
【００４２】
ステップＳ８７において、←キー４５Ｌあるいは戻るキー４６が押下されなかった場合には、ステップＳ８４に戻る。
【００４３】
ステップＳ８８〜Ｓ９５において、前述した方法で、ウエストＷと体重Ｍも設定する。
【００４４】
ステップＳ９６では、インピーダンスの測定を行なう。左親指を電流供給電極４２ａに、右親指を電流供給電極４２ｂに、左手の平を電圧検出電極４３ａに、右手の平を電圧検出電極４３ｂにそれぞれ接触するように保持する。測定を開始すると、高周波定電流回路６７は、高周波の微弱な定電流Ｉを出力する。この出力は、電流供給電極４２ａ、４２ｂを介して被測定者に印加される。この時、被測定者に流れる電流は、電圧検出電極４３ａ、４３ｂとの間に生じる生体の電位差として、電圧測定回路６８により検出される。このアナログ出力は、Ａ／Ｄ変換回路６９によりデジタル信号Ｖに変換される。電圧Ｖ÷電流Ｉがインピーダンスとなる。
【００４５】
ステップＳ９７において、体脂肪率および内臓脂肪面積Ｙを求めて、図１０（ｂ）に示すように表示部４４に表示する。両手間のインピーダンスから全身の体脂肪率が相関式により導かれるのは公知である。Ｙを目的変数、身長Ｈ、体重ＭおよびウエストＷを説明変数として、重回帰分析を適応して求めた以下の回帰式が記憶部６５に予め記憶され、これを用いて内臓脂肪面積Ｙ１が求められる。
【００４６】
Ｙ１＝Ｃ１×身長Ｈ＋Ｃ２×体重Ｍ＋Ｃ３×ウエストＷ＋Ｃ４×体脂肪量Ｆ＋Ｃ５  （式１）
【００４７】
また、次の年齢を考慮した式でも良い。
【００４８】
Ｙ２＝Ｃ２１×身長Ｈ＋Ｃ２２×体重Ｍ＋Ｃ２３×ウエストＷ＋Ｃ２４×体脂肪量Ｆ＋Ｃ２５×年齢Ａｇｅ＋Ｃ２６（式２）
【００４９】
また、ウエストＷを入力しないで、体格指数ＢＭＩを用いる以下の式でも良い。ＢＭＩは、ＢＭＩ＝体重（ｋｇ）÷身長（ｍ）÷身長（ｍ）である。
【００５０】
Ｙ３＝Ｃ３１×ＢＭＩ＋Ｃ３２×体脂肪量Ｆ＋Ｃ３３（式３）
【００５１】
図５は、設定キー４９が押下された場合の設定処理の動作を示すフローチャートである。ここでは、ダイエットの目標指数を内臓脂肪面積、体重、体脂肪率のいずれかにするかを指定する。さらに、その目標値を設定する。最初に、設定キー４９が押下される前に、測定キーが押されて測定処理が行なわれたかを判断する。行なわれていない場合は、表示部４４に「測定キーを押して、測定処理を行なってください」と表示され、このサブルーチンは終了する。
【００５２】
ステップＳ１０１において、内臓脂肪面積の目標値Ｙ＝１００ｃｍ２が図１１に示されるように表示部４４に表示される。ステップＳ１０２において、↑キー４５Ｕまたは↓キー４５Ｄが押下されたかを判断する。押下されていない場合は、ステップＳ１０４に進む。ステップＳ１０２において、↑キー４５Ｕが押下された場合には、Ｙを１だけ増やす。↓キー４５Ｄが押下された場合には、Ｙを１だけ減らす。ステップＳ１０２に戻る。
【００５３】
ステップＳ１０４では、決定キー４７が押下されたかを判断する。押下された場合には、ステップＳ１０７に進む。ステップＳ１０５においては、←キー４５Ｌあるいは→キー４５Ｒが押下されたかを判断する。押下されない場合は、ステップＳ１０２に戻る。ステップＳ１０６においては、目標の指標を体重にするか体脂肪率にするかを選択する。ステップＳ１０２に戻る。
【００５４】
ステップＳ１０７において、目標値を達成するまでの期間Ｐ＝３０日を表示部４４に表示する。ステップＳ１０８において、↑キー４５Ｕまたは↓キー４５Ｄが押下されたかを判断する。押下されていない場合は、ステップＳ１１０に進む。ステップＳ１０９において、↑キー４５Ｕが押下された場合には、Ｐを１だけ増やす。↓キー４５Ｄが押下された場合には、Ｐを１だけ減らす。ステップＳ１０８に戻る。ステップＳ１１０では、決定キー４７が押下されたかを判断する。押下されない場合は、ステップＳ１０８に戻る。
【００５５】
ステップＳ１１１では、内臓脂肪面積、体脂肪率あるいは体重の目標値を達成するために消費すべき総カロリーを求める。減らすべき内臓脂肪面積から減らすべき体脂肪量が求まる。また、減らすべき体脂肪率から減らすべき体脂肪量は求まる。さらに、体脂肪率と減らすべき体重から減らすべき体脂肪量が求まる。減らすべき体脂肪量と消費すべきカロリーの間には、一意的に決まる関係式があり、この式により、運動により消費すべき総カロリーが求まる。さらに、この値と目標期間Ｐから１日に運動により消費すべきカロリーが求まる。次に、以下に示すように変数（運動により消費すべきカロリー）の初期値設定を行なう。
【００５６】
（運動により消費すべきカロリー）＝（１日に運動により消費すべきカロリー）
【００５７】
ステップＳ１１２において、基礎代謝量を求める。基礎代謝量は除脂肪量に比例することから、除脂肪量と個人パラメータにより求めることができる。尚、除脂肪量は、その定義から体重×（１−体脂肪率）で求めることができる。次に、目標摂取カロリーの初期値を求める。この初期値として、この実施例では、理想摂取カロリーを使うことにする。理想摂取カロリーは、体重当たりエネルギー所要量から求めることができる。ここで、体重当たりエネルギー所要量は、生活活動強度、年齢および性別から決められることが知られている。
【００５８】
ステップＳ１１３において、前ステップで求めた目標摂取カロリーの初期値を表示部４４に表示する。ステップＳ１１４において、↑キー４５Ｕまたは↓キー４５Ｄが押下されたかを判断する。押下されていない場合は、ステップＳ１１６に進む。↑キー４５Ｕが押下された場合には、ステップＳ１１５において、目標摂取カロリーを１だけ増やす。これにより、摂取カロリーをやや高めにした運動消費中心の設定にすることができる。↓キー４５Ｄが押下された場合には、目標摂取カロリーを１だけ減らす。これにより、摂取カロリーを低めに抑えたダイエット中心の設定にすることができる。ステップＳ１１６においては、決定キー４７が押下されたかを判断する。押下されない場合は、ステップＳ１１４に戻る。
【００５９】
ステップＳ１１７において、目標摂取カロリーが表示部４４に表示される。表示された後、所定の時間内に何もキー入力が無かった場合には、電源は自動的にオフされる。
【００６０】
この装置では、基本的に目標摂取カロリーを理想摂取カロリー以下にすることはしない方法をとっている。食事制限だけで体脂肪を減らそうとすると、脂肪だけでなく、筋肉や骨量なども落としてしまう。筋肉が落ちれば体全体の基礎代謝量も低下し、結果的に体重は落ちにくくなり、少し過食しただけでも太ってしまう体を作ってしまうからである。ただし、そのことを踏まえても目標摂取カロリーを減らしたい人のために、本装置は、目標摂取カロリーを調整できる機能を有している。
【００６１】
図６は、グラフキー５０が押下された場合の動作を示すフローチャートである。ここでは、内臓脂肪面積、体重、あるいは体脂肪率の日々の変化をグラフ表示する。
【００６２】
グラフキー５０が押下されると、ステップＳ１２１において、表示部４４は、図１２（ａ）に示される画面を表示する。内臓脂肪面積には下線が引かれている。ステップＳ１２２において、↑キー４５Ｕまたは↓キー４５Ｄが押下されたかを判断する。押下されない場合は、ステップＳ１２４に進む。↓キー４５Ｄが押下された場合には、ステップＳ１２３において、下線位置を下に移動する。即ち、体重に下線が引かれる。更に、↓キー４５Ｄが押下された場合には、下線位置はさらに下に移動し、体脂肪率に下線が引かれる。↑キー４５Ｕが押下された場合には、逆に下線位置が上に移動する。
【００６３】
ステップＳ１２４では、決定キー４７が押下されたかを判断する。押下されない場合は、ステップＳ１２２に戻る。ステップＳ１２５において、下線が引かれた項目の日々の変化がグラフ表示される。下線が引かれた項目が、内臓脂肪面積の場合の画面を図１２（ｂ）に示す。ステップＳ１２６において、←キー４５Ｌが押下されたかを判断する。押下されない場合は、ステップＳ１２６に戻る。ステップＳ１２７において、表示データを一つ手前の過去のデータに設定する。ステップＳ１２５に戻る。
【００６４】
図７は、摂取キー５１が押下された場合の摂取処理の動作を示すフローチャートである。ここでは、指定した食品による摂取カロリーを計算する。
【００６５】
摂取キー５１が押下されると、ステップＳ１３１において、図１３（ａ）に示すように、食品を五十音で選ぶように五十音表が表示部４４に表示される。下線が引かれている箇所が選択されている。この図の場合では、ア行が選択されている。ステップＳ１３２において、↓キー４５Ｄ、↑キー４５Ｕ、→キー４５Ｒまたは←キー４５Ｌのいずれかが押下されたかを判断する。押下されない場合は、ステップＳ１３４に進む。↓キー４５Ｄ、↑キー４５Ｕ、→キー４５Ｒまたは←キー４５Ｌが押下された場合には、ステップＳ１３３において、下線位置は、それぞれ、下、上、右、あるいは左に一ポジション移動する。ステップＳ１３１に戻る。
【００６６】
ステップＳ１３４では、決定キー４７が押下されたかを判断する。押下されない場合は、ステップＳ１３１に戻る。ステップＳ１３５において、選択された文字が頭の一文字である食品名が、図１３（ｂ）に示されるように表示される。この図では、カ行が選択され、さらに、カが頭の一文字のカケウドンが選択され、下線が引かれている。ステップＳ１３６において、↓キー４５Ｄが押下されたかを判断する。押下されなかった場合は、ステップＳ１３８に進む。ステップＳ１３７において、下線位置を一ポジション下に移動する。ステップＳ１３５に戻る。ステップＳ１３６に、↑キー４５Ｕが押下されたかの判断を追加してもよい。このようにすると、↓キー４５Ｄを押し過ぎてしまった場合に位置を修正することが可能となる。
【００６７】
ステップＳ１３８では、決定キー４７が押下されたかを判断する。押下されない場合は、ステップＳ１３５に戻る。ステップＳ１３９において、↑キー４５Ｕまたは↓キー４５Ｄが押下されたかを判断する。押下されない場合は、ステップＳ１４１に進む。↑キー４５Ｕが押下された場合には、ステップＳ１４０において、表示部４４の画面の左下の摂取量（％）の表示が１１０％というように増加する。↓キー４５Ｄが押下された場合には、９０％というように減少する。ステップＳ１３７で選択した食品のステップＳ１４０で指定した摂取量分の摂取カロリーを計算して、表示部４４の画面の右下の摂取カロリーの箇所に表示する。尚、食品と食品の１単位（１００％）あたりのカロリー量の対応表が、予め記憶部６５に記憶されているものとする。たとえば、図１３（ｂ）の場合には、カケウドン一杯（１００％）３０２ｋｃａｌが記憶部６５に記憶されている。ステップＳ１３９に戻る。
【００６８】
ステップＳ１４１では、決定キー４７が押下されたかを判断する。押下されない場合は、ステップＳ１３９に戻る。ステップＳ１４２において、記憶部６５内の摂取カロリー変数内の値に最終的に決定した摂取カロリーを加える。次に、以下の式により、摂取可能なカロリーの値を更新する。
【００６９】
（摂取可能なカロリー）＝（摂取可能なカロリー）−（摂取カロリー）
【００７０】
ステップＳ１３１の五十音表の表示に戻る。
【００７１】
図８は、消費キー５２が押下された場合の消費処理の動作を示すフローチャートである。ここでは、指定した運動による消費カロリーを計算する。
【００７２】
消費キー５２が押下されると、ステップＳ１５１において、図１４に示すように運動項目を５０音順に表示部４４に表示する。選択された項目には、下線が引かれている。ステップＳ１５２において、↑キー４５Ｕあるいは↓キー４５Ｄが押下されたかを判断する。押下されなかった場合は、ステップＳ１５４に進む。↑キー４５Ｕが押下された場合には、ステップＳ１５３において、下線位置を一ポジション上に移動する。↓キー４５Ｄが押下された場合には、下線位置を一ポジション下に移動する。ステップＳ１５１に戻る。
【００７３】
ステップＳ１５４では、決定キー４７がされたかを判断する。押下されない場合は、ステップＳ１５１に戻る。ステップＳ１５５において、↑キー４５Ｕまたは↓キー４５Ｄが押下されたかを判断する。押下されない場合は、ステップＳ１５７に進む。↑キー４５Ｕが押下された場合には、ステップＳ１５６において、表示部４４の画面の左下の運動時間が増加する。↓キー４５Ｄが押下された場合には、減少する。ステップＳ１５３で選択した運動によりステップＳ１５６で指定した運動時間で消費した消費カロリーを計算して、表示部４４の画面の右下の消費カロリーの箇所に表示する。尚、運動項目と運動の１分あたり、体重１ｋｇあたりの消費カロリーの対応表が、予め記憶部６５に記憶されているものとする。図１４の場合には、ジョキング（フツウ）０．１１７ｋｃａｌ／ｋｇ／分が記憶部６５に記録されており、被測定者の体重は、図１０（ａ）に示した通りなので、１０分間、運動した場合の消費カロリーは、７４．２ｋｃａｌとなる。ステップＳ１５５に戻る。
【００７４】
ステップＳ１５７では、決定キー４７が押下されたかを判断する。押下されないか場合は、ステップＳ１５５に戻る。ステップＳ１５８において、記憶部６５内の消費カロリー変数内の値に最終的に決定した消費カロリーを加える。次に、以下の式により運動により消費すべきカロリーを更新する。
【００７５】
（運動により消費すべきカロリー）＝（運動により消費すべきカロリー）−（消費カロリー）
【００７６】
ステップＳ１５１に戻る。
【００７７】
図９は、コメントキー５３が押下された場合のコメント処理の動作を示すフローチャートである。ここでは、コメントキー５３が押下された以降に今日摂取可能な残りのカロリーと今日運動で消費すべき残りのカロリーが表示部４４に表示される。また、１日前の合計カロリーと「運動不足です」等のコメントを表示する。最初に、コメントキー４９が押下される前に、測定キーが押されて測定処理が行なわれたかを判断する。行なわれていない場合は、表示部４４に「測定キーを押して、測定処理を行なってください」と表示され、このサブルーチンは終了する。
【００７８】
ステップＳ１６１において、現時点以降に摂取可能なカロリーと現時点以降に運動により消費すべきカロリーを図１５（ａ）に示すように表示部４４に表示する。
【００７９】
ステップＳ１６２において、←キー４５Ｌが押下されたかを判断する。押下されない場合は、ステップＳ１６１に戻る。ステップＳ１６３において、１日前の合計カロリーとコメントが表示される。１日前の合計カロリーは、次式により計算されるものとする。
【００８０】
（１日前の合計カロリー）＝（１日前の摂取カロリー）−（１日前の運動による消費カロリー）−（基礎代謝量）
【００８１】
ここで、基礎代謝量は、図５のフローチャートのステップＳ１１２で求めた値である。
【００８２】
合計カロリーの値に応じたコメントの例を図１５（ｂ）、図１６（ａ）〜（ｆ）に示す。合計カロリーが正の値の時には、「運動不足です」、零あるいは負の小さな値の時には、「同程度の運動を続けて下さい」、負の大きな値の時には、「摂取不足です」と表示する。図７を用いて説明した摂取処理、および図８を用いて説明した消費処理により、被験者は食事摂取量と摂取カロリーの関係、および運動量と消費カロリーの関係を知ることができるので、合計カロリーとコメントを表示することにより、どの程度食事摂取量を増やすべきか、あるいは、どの程度運動量を増やすべきかの目安を被験者は知ることが可能となる。図１５（ｂ）においては、内臓脂肪面積減少量も表示されている。この場合、負の値になっているので、内臓脂肪面積が増加したことを意味している。この減少量は、合計カロリーから求めた値である。この表示により、合計カロリーと内臓脂肪面積の増減の関係を被験者は知ることが出来、どの程度運動すれば、内臓脂肪面積をどの程度減らすことができるかを被験者は知ることができる。
【００８３】
ステップＳ１６４において、←キー４５Ｌが押下されたかを判断する。押下されない場合は、ステップＳ１６４に戻る。ステップＳ１６５において、１日前の摂取カロリーと消費カロリーを記憶部６５から呼び出す。ステップＳ１６３に戻る。
【００８４】
コメントキー５３を押す前に、設定キー４９が押下されず、内臓脂肪面積等の目標値が設定されていない場合は、ステップＳ１６１を行なう前に、内臓脂肪面積の目標値を標準的な値とし、目標期間を無理の無い標準的なダイエットの期間として、図５に示した同様な処理で、消費すべき総カロリー、一日に消費すべきカロリー、基礎代謝量、目標摂取カロリー、および目標消費カロリーを計算する。
【００８５】
以上の処理において、所定時間内にキー入力が無い時には、自動的に電源がオフするものとする。
【００８６】
本実施例では、身長、年齢等の個人データは、一人分のみしか登録できないが、複数人分の個人キーを設けることで、複数人分の個人データを登録可能である。即ち、個人データを入力した時に個人キーを押すことにより、それに対応する記憶部のエリアに個人データを登録する。その個人データを利用するときに、その被験者に対応する個人キーを押すことにより、対応する記憶部のエリアから対応する個人データを読み出す。
【００８７】
本実施例では、身長をキー手段で手入力しているが、身長計を備えることにより自動入力することが可能である。また、体脂肪率を測定した生体インピーダンスに基づく演算で求めているが、身長をキー手段で手入力したと同様の方法で、体脂肪率を手入力する構成にすることは可能である。
【００８８】
さらに、体重は手入力を可能とするキー手段で入力したが、図１７に示す体重測定装置１０１を図１の装置と赤外線や電波等による無線通信、あるいは、電気ケーブルを介して接続することにより図１の装置は体重を自動入力することが可能となる。さらに、体重測定装置１０１には、図１７に示すように通電用電極１０３ａ、１０３ｂと電圧測定用電極１０４ａ、１０４ｂを設け、測定台１０２の内部に通電用電極１０３ａ、１０３ｂの両電極間に微弱な定電流を流す回路、電圧測定用電極１０４ａ、１０４ｂの両電極間の電圧を測定する回路および定電流と電圧に基づいて両足間の生体電気インピーダンスを演算する回路を設けることにより、両足間の生体電気インピーダンスに基づき内臓脂肪面積あるいは体脂肪率を求めることが可能となる。この場合、図１の両手間の生体インピーダンス測定用の電極４２ａ、４２ｂ、４３ａ、４３ｂは、不要となる。図２のＣＰＵ６４において、体重測定装置１０１で測定された両足間の生体電気インピーダンスから内臓脂肪面積あるいは体脂肪率が求められることになる。
【００８９】
また、体重測定装置１０１には、図１７に示される通りに、身長、年齢、性別等の個人データを設定するための設定キー１０６と、数値を増加させるためのＵＰキー１０５ａと、数値を減少させるためのＤＯＷＮキー１０５ｂ、個人データを登録あるいは読み出すための個人キー１０７ａ〜１０７ｅと、設定条件の状態、計測結果、あるいは判定結果を表示するための表示部１０９が備えられているが、これらにより内臓脂肪推定装置４１が無くても、単独で内臓脂肪推定装置として使うことができる。単独で使うが必要ない場合は、これらを省けることはもちろんである。
【００９０】
尚、本発明の内臓脂肪推定装置は、上記した実施の形態に限定されるものではなく、本発明の要旨を逸脱しない範囲内において種々変更を加え得ることは勿論である。
【００９１】
【発明の効果】
以上、説明したように本発明によれば、内臓脂肪面積、体脂肪率および体重の目標値のうちのいずれか一つと前記目標値を達成するまでの期間に基づいて1日に運動により消費すべきカロリーを決定するので、被験者が肥満の場合に目標内臓脂肪を設定でき、それを達成するために摂取カロリーと消費カロリーを管理することができる。
【図面の簡単な説明】
【図１】  本発明の一実施例としての内臓脂肪推定装置の外観を示す概略正面図を示す図である。
【図２】  図１の内臓脂肪推定装置の電気回路構成を示すブロック図である。
【図３】  図１の内臓脂肪推定装置のメインプログラムの動作を示すフローチャートを示す図である。
【図４】  図１の装置の内臓脂肪推定のための測定の動作の概要を示すフローチャートを示す図である。
【図５】  図１の装置の内臓脂肪推定のための設定の動作の概要を示すフローチャートを示す図である。
【図６】  図１の装置の内臓脂肪推定のためのグラフ表示の動作の概要を示すフローチャートを示す図である。
【図７】  図１の装置の内臓脂肪推定のための摂取カロリーの計算の概要を示すフローチャートを示す図である。
【図８】  図１の装置の内臓脂肪推定のための消費カロリーの計算の概要を示すフローチャートを示す図である。
【図９】  図１の装置の内臓脂肪推定のためのコメント表示の動作の概要を示すフローチャートを示す図である。
【図１０】  図１の装置の入力値と出力値の表示例の一つを示す図である。
【図１１】  図１の装置におけるダイエットの目標指数の表示例を示す図である。
【図１２】  図１の装置において内臓脂肪面積をグラフ表示した図である。
【図１３】  摂取する食品の食品名、摂取量の表示例を示す図である。
【図１４】  運動による消費カロリーの表示例を示す図である。
【図１５】  コメントの表示例を示す図である。
【図１６】  コメントの表示例を示す図である。
【図１７】  図１の装置を入力・表示部とし、図１の装置から分離された生体電気インピーダンス測定部と体重測定部から成る装置の外観を示す概略斜視図を示す図である。
【符号の説明】
４１  内臓脂肪推定装置
４２ａ、４２ｂ  電流供給電極
４３ａ、４３ｂ  電圧検出電極
４４  表示部
４５  ↑キー、↓キー、→キー、←キー
４６  戻るキー
４７  決定キー
４８  測定キー
４９  設定キー
５０  グラフキー
５１  摂取キー
５２  消費キー
５３  コメントキー
６４  ＣＰＵ
６５  記憶部
６６  時計部
６７  高周波定電流回路
６８  電流測定回路
６９  Ａ／Ｄ変換